(57)【特許請求の範囲】
【請求項１】
室外機と、複数の室内機とを備え、
圧縮機、前記室内機毎に設けられた室内熱交換器、前記室内熱交換器毎に設けられ冷媒流量を可変する絞り装置、および前記室外機に設けられた室外熱交換器を冷媒配管により接続し、前記室内機毎に冷媒を循環させる冷媒回路が形成されたマルチ形空気調和機において、
前記室内機は、
当該室内機の運転を制御し、当該室内機の運転指令および計測情報を送信する室内機制御手段を備え、
前記室外機は、
各室内機の前記室内機制御手段とそれぞれ配線接続された室外機制御手段を備え、
前記室外機制御手段は、
（ａ）各室内機の前記室内機制御手段により送信された前記室内機の運転指令を受信し、
前記運転指令を受信した前記配線に対応する前記室内機が運転中であると認識し、当該運転中の室内機に対応する前記冷媒回路の冷媒を循環させる制御を行い、
（ｂ）前記室内機制御手段から受信した前記室内機の運転指令と、当該室外機制御手段が冷媒循環を制御する前記室内機の冷媒回路とが一致しないとき、
（ｃ）運転中の前記室内機の台数に基づき、冷媒を循環させる前記冷媒回路と冷媒を循環させない前記冷媒回路との動作パターンを抽出し、
（ｄ）前記動作パターンに従い、冷媒を循環させる前記冷媒回路を切り替え、
（ｅ）前記室内機制御手段から受信した前記室内機の計測情報と、該計測情報を受信した前記配線に対応する前記室内機の運転状態とに基づき、各室内機の前記室内機制御手段と接続された各配線と、当該室外機制御手段が制御する各冷媒回路との対応付けを行い、
（ｆ）前記室内機制御手段より受信した前記室内機の運転指令と、当該室外機制御手段が冷媒循環を制御する前記室内機の冷媒回路とが一致するように、前記配線接続の認識を変更すると共に、揮発性メモリに対して前記配線接続の認識を変更した旨の更新を行い、
（ｇ）当該更新後においては、上記の（ｂ）〜（ｆ）の処理を省略する
ことを特徴とするマルチ形空気調和機。
【請求項２】
前記室内機に吸い込まれた室内空気の温度を検出する吸込空気温度検出手段と、
前記室内熱交換器の管温度を検出する熱交換器温度検出手段と
を備え、
前記室内機制御手段は、
前記吸込空気温度検出手段により検出された前記室内機の吸込空気温度の情報と、前記熱交換器温度検出手段により検出された前記室内機の熱交換器の管温度の情報を、前記計測情報として送信し、
前記室外機制御手段は、
前記室内機制御手段から受信した前記吸込空気温度と前記熱交換器の管温度との温度差を演算し、
演算した前記温度差と前記受信した前記室内機の運転指令に基づき、当該室内機が異常か否かを判定し、
少なくとも１つの前記室内機の異常を判定したとき、前記室内機制御手段より受信した前記室内機の運転指令と、当該室外機制御手段が冷媒回路を制御する前記室内機の冷媒回路とが一致しないものとして、
異常と判定した前記室内機の室内機制御手段と接続される配線と、当該室外機制御手段が制御する冷媒回路との対応付けを変更する
ことを特徴とする請求項１記載のマルチ形空気調和機。
【請求項３】
前記室外機制御手段は、
運転中の前記室内機に対応する前記配線から受信した、前記吸込空気温度と前記熱交換器の管温度との温度差が、第１の所定の範囲内であるか否かにより、当該室内機が異常運転か否かを判定し、
停止中の前記室内機に対応する前記配線から受信した、前記吸込空気温度と前記熱交換器の管温度との温度差が、第２の所定の範囲内であるか否かにより、当該室内機が異常運転か否かを判定し、
異常と判定した前記室内機の室内機制御手段と接続される配線と、当該室外機制御手段が制御する冷媒回路との対応付けを変更する
ことを特徴とする請求項２記載のマルチ形空気調和機。
【請求項４】
前記室外機制御手段は、
前記動作パターンに従い、前記各絞り装置を開状態または閉状態として、冷媒を循環させる前記冷媒回路を切り替えた後、
運転中の前記室内機に対応する前記配線から受信した、前記吸込空気温度と前記熱交換器の管温度との温度差が、第１の所定の範囲内であるか否かにより、当該室内機が異常運転か否かを判定し、
停止中の前記室内機に対応する前記配線から受信した、前記吸込空気温度と前記熱交換器の管温度との温度差が、第２の所定の範囲内であるか否かにより、当該室内機が異常運転か否かを判定し、
異常と判定した前記室内機の室内機制御手段と接続される配線と、当該室外機制御手段が制御する冷媒回路との対応付けを変更する
ことを特徴とする請求項２または３記載のマルチ形空気調和機。
【請求項５】
前記室外機制御手段は、
運転中の複数の前記室内機を異常と判定したとき、
運転中の前記室内機と停止中の室内機の台数に基づき、前記絞り装置の開状態または閉状態の組合せからなる動作パターンを抽出し、
前記動作パターンに従って、各絞り装置の開閉動作を行い、
前記動作パターン毎に、
運転中の前記室内機に対応する前記配線から受信した、前記吸込空気温度と前記熱交換器の管温度との温度差が、第１の所定の範囲内であるか否かにより、当該室内機が異常運転か否かを判定し、
停止中の前記室内機に対応する前記配線から受信した、前記吸込空気温度と前記熱交換器の管温度との温度差が、第２の所定の範囲内であるか否かにより、当該室内機が異常運転か否かを判定し、
全ての前記室内機について正常運転となる前記動作パターンにおける、各絞り装置の開閉状態と、各配線に対応する前記室内機の運転状態とに基づき、各室内機の前記室内機制御手段と接続された各配線と、当該室外機制御手段が制御する各冷媒回路との対応付けを行い、前記配線接続の認識を変更する
ことを特徴とする請求項２〜４の何れか一項に記載のマルチ形空気調和機。
【請求項６】
前記室外機制御手段は、
前記動作パターンの全ての組合せにおいて、全ての前記室内機が正常運転とならない場合、誤配線以外の異常がある旨の異常信号を出力する
ことを特徴とする請求項２〜５の何れか一項に記載のマルチ形空気調和機。
【請求項７】
前記室外機制御手段は、
前記室内機制御手段から受信した前記吸込空気温度と前記熱交換器の管温度との温度差を演算し、
演算した前記温度差と前記受信した前記室内機の運転指令に基づき、当該室内機が異常か否かを判定し、
全ての前記室内機について正常を判定したとき、前記異常判定を終了する
ことを特徴とする請求項２〜６の何れか一項に記載のマルチ形空気調和機。
【発明の詳細な説明】
【技術分野】
【０００１】
本発明は、室外機と、複数の室内機とを備えたマルチ形空気調和機に関するものである。
【背景技術】
【０００２】
マルチ形空気調和機は、一つの室外機に対して複数の室内機を接続することができるため、設置スペースの限られたマンションなどでも他室空調が可能である。省スペース化が可能でエクステリア性が高く、コストメリットも良いことから、近年普及が進んでいる。
【０００３】
しかしながら、マルチ形空気調和機は一つの室外機に対して複数の室内機を接続するため、各室内機と室外機とをそれぞれ配管接続し、冷媒回路を形成した後、各室内機を室外機の対応する接続部へ接続する際に、誤って他の室内機の接続部に接続してしまうという場合がある。このいわゆる誤配線接続は、室外機が認識する室内機からの指令と、制御する冷媒回路とが正常の対応とならないため、室外機は、使用者が運転操作を行った室内機に対してではなく、誤配線接続された別の室内機へ冷媒を流すように制御を行ってしまい、要求通りの運転がなされないという問題がある。
【０００４】
従来のマルチ形空気調和機として、例えば「診断運転モードを設定する診断運転設定手段と、前記診断運転を実施したか否かを記憶する記憶手段を備え、通常の運転モードでの運転開始時に、前記記憶手段に記憶された内容を確認し前記診断運転が未実施の場合、診断運転を開始するようにした」ものが提案されている（例えば、特許文献１参照）。
【０００５】
他にも、「前記室内機制御手段より受信した前記室内機の運転制御情報と、該室外機制御手段が冷媒循環を制御する該室内機の冷媒回路とが一致しないとき、前記室内機制御手段と接続された配線と、該室外機制御手段が制御する冷媒回路との対応付けを変更し、前記室内機制御手段より受信した前記室内機の運転制御情報と、該室外機制御手段が冷媒循環を制御する該室内機の冷媒回路とを一致させる」ものが提案されている（例えば、特許文献２参照）。
【先行技術文献】
【特許文献】
【０００６】
【特許文献１】特開２００５−２８２９０３号公報（請求項１）
【特許文献２】特開２００７−２１８５１２号公報（請求項２）
【発明の概要】
【発明が解決しようとする課題】
【０００７】
特許文献１に示される空気調和機では、初回の通常運転モードが開始されるときに診断運転が行われるため、設置時に診断運転を忘れても、通常の試運転は必ず実施されるという仮定の下で、設置終了時の診断運転の実施忘れを防止することができるとしている。更に、診断運転において異常と判断された場合、異常である旨を表示部に表示するとしている。しかしながら、実際にはその試運転が実施されないケースもあり、その場合には使用者に引き渡された後、初回の通常運転を行った際に診断運転が初めて実施される事となり、そこで異常が検出された場合には、後日、施工業者によって再度検査を行い、再度据付工事を行わなければならないという問題点があった。
【０００８】
また、特許文献２に示される空気調和機では、室外機制御手段が、運転している室内機が異常であると判定した場合に、他の運転停止している室内機と認識を順次入れ替えていくことで誤配線となっている室内機を検出し、入れ替えた認識を記憶するという方法をとっている。この方法では、一組の誤配線を検出し、一つずつ修正を行っていくので、全ての誤配線が修正されるまでに複数回の診断運転を行う必要が出てくる場合がある。また、お互いに誤配線接続となっている室内機が同時に運転を行っている場合は、その誤配線接続は検出されず、修正されるのは次の診断運転が行われた機会に持ち越されてしまうという問題点があった。
【０００９】
本発明は、上記のような課題を解決するためになされたもので、マルチ形空気調和機において、誤った配線接続が行われた場合に誤配線を検出し、再配線工事無しで誤配線状態の解消を可能とするマルチ形空気調和機を得るものである。
【課題を解決するための手段】
【００１０】
本発明に係るマルチ形空気調和機は、室外機と、複数の室内機とを備え、圧縮機、前記室内機毎に設けられた室内熱交換器、前記室内熱交換器毎に設けられ冷媒流量を可変する絞り装置、および前記室外機に設けられた室外熱交換器を冷媒配管により接続し、前記室内機毎に冷媒を循環させる冷媒回路が形成されたマルチ形空気調和機において、前記室内機は、当該室内機の運転を制御し、当該室内機の運転指令および計測情報を送信する室内機制御手段を備え、前記室外機は、各室内機の前記室内機制御手段とそれぞれ配線接続された室外機制御手段を備え、前記室外機制御手段は、（ａ）各室内機の前記室内機制御手段により送信された前記室内機の運転指令を受信し、前記運転指令を受信した前記配線に対応する前記室内機が運転中であると認識し、当該運転中の室内機に対応する前記冷媒回路の冷媒を循環させる制御を行い、（ｂ）前記室内機制御手段から受信した前記室内機の運転指令と、当該室外機制御手段が冷媒循環を制御する前記室内機の冷媒回路とが一致しないとき、（ｃ）運転中の前記室内機の台数に基づき、冷媒を循環させる前記冷媒回路と冷媒を循環させない前記冷媒回路との動作パターンを抽出し、（ｄ）前記動作パターンに従い、冷媒を循環させる前記冷媒回路を切り替え、（ｅ）前記室内機制御手段から受信した前記室内機の計測情報と、該計測情報を受信した前記配線に対応する前記室内機の運転状態とに基づき、各室内機の前記室内機制御手段と接続された各配線と、当該室外機制御手段が制御する各冷媒回路との対応付けを行い、（ｆ）前記室内機制御手段より受信した前記室内機の運転指令と、当該室外機制御手段が冷媒循環を制御する前記室内機の冷媒回路とが一致するように、前記配線接続の認識を変更すると共に、揮発性メモリに対して前記配線接続の認識を変更した旨の更新を行い、（ｇ）当該更新後においては、上記の（ｂ）〜（ｆ）の処理を省略するものである。
【発明の効果】
【００１１】
本発明は、運転中の室内機の台数に基づき、冷媒を循環させる冷媒回路と冷媒を循環させない冷媒回路との動作パターンを抽出し、動作パターンに従い、冷媒を循環させる冷媒回路を切り替え、室内機制御手段から受信した室内機の計測情報と、該計測情報を受信した配線に対応する室内機の運転状態とに基づき、各室内機の室内機制御手段と接続された各配線と、当該室外機制御手段が制御する各冷媒回路との対応付けを行い、配線接続の認識を変更する。このため、配線の接続を変更することなく誤配線接続を解消することができる。また、複数の誤配線接続が存在する場合において、複数の室内機が運転している場合であっても、一度の診断運転により、配線の接続を変更することなく、誤配線接続を解消することができる。
また、再配線工事を必要としないため、施工時に誤配線接続された状態で使用者に引き渡されてしまった場合でも、その状態のままで、使用者の要求通り正常な運転ができる。
【図面の簡単な説明】
【００１２】
【図１】本発明の実施の形態１におけるマルチ形空気調和機の構成図である。
【図２】本発明の実施の形態１における据付時に誤配線接続された冷媒回路の一例を示す図である。
【図３】本発明の実施の形態１における異常検知制御手順を示す図である。
【図４】異常検知制御Ｓ１の詳細手順を示す図である。
【図５】異常検知制御Ｓ４の詳細手順を示す図である。
【図６】異常検知制御Ｓ６の詳細手順を示す図である。
【図７】異常検知制御Ｓ８の詳細手順を示す図である。
【図８】異常検知制御Ｓ１２の詳細手順を示す図である。
【発明を実施するための形態】
【００１３】
実施の形態１．
図１は本発明の実施の形態１におけるマルチ形空気調和機の構成図である。図１において、本実施の形態１におけるマルチ形空気調和機は、冷媒を圧縮する圧縮機１、冷媒の流通方向を切り替える四方弁２、外気と冷媒との間で熱交換を行う熱交換器である室外熱交換器３、室外熱交換器３に送風する送風機である室外ファン４、室外ファン４を回転駆動する室外ファンモータ５、冷媒流量を可変し冷媒を減圧する膨張弁６ａ〜６ｄ（絞り装置）、室内空気と冷媒との間で熱交換を行う熱交換器である室内熱交換器７ａ〜７ｄ、室内熱交換器７ａ〜７ｄに送風する送風機である室内ファン８ａ〜８ｄ、室内ファンを回転駆動する室内ファンモータ９ａ〜９ｄ、運転時に冷媒を収容する液溜１０、冷媒配管である液配管１１ａ〜１１ｄ及びガス配管１２ａ〜１２ｄ、室内機の運転操作を入力するリモコン１３ａ〜１３ｄ、室外機を制御する室外機制御手段１４、室内機を制御する室内機制御手段１５ａ〜１５ｄ、室内ファン８ａ〜８ｄにより送風される空気温度を検出する室内吸込空気温度検出手段１６ａ〜１６ｄ、室内熱交換器７ａ〜７ｄの管温度Ｔ１７ａ〜Ｔ１７ｄを検出する室内熱交換器温度検出手段１７ａ〜１７ｄで構成されている。また、室内機Ｙは複数台配置され、それぞれ室外機Ｘと液配管１１ａ〜１１ｄとガス配管１２ａ〜１２ｄとにより接続され冷媒が循環する冷媒回路を構成している。ここでは一例として、室内機は４台とする。なお、符号の後の小文字のアルファベットは室内機名を示す。
【００１４】
更に、室外機Ｘと各室内機Ｙは、室外機制御手段１４と室内機制御手段１５ａ〜１５ｄとを接続する配線１８ａ〜１８ｄ、膨張弁６ａ〜６ｄと室外機制御手段１４とを接続する配線１９ａ〜１９ｄ、圧縮機１と室外機制御手段１４とを接続する配線２０、室外ファンモータ５と室外機制御手段１４とを接続する配線２１、四方弁２と室外機制御手段１４とを接続する配線２２、リモコン１３ａ〜１３ｄと室内機制御手段１５ａ〜１５ｄとを接続する配線２３ａ〜２３ｄ、室内ファンモータ９ａ〜９ｄと室内機制御手段１５ａ〜１５ｄとを接続する配線２４ａ〜２４ｄ、室内吸込空気温度検出手段１６ａ〜１６ｄと室内機制御手段１５ａ〜１５ｄとを接続する配線２５ａ〜２５ｄ、室内熱交換器温度検出手段１７ａ〜１７ｄと室内機制御手段１５ａ〜１５ｄとを接続する配線２６ａ〜２６ｄにより配線接続されている。なお、リモコン１３ａ〜１３ｄと室内機制御手段１５ａ〜１５ｄとを接続する配線２３ａ〜２３ｄに換え、無線で信号を通信しても良い。
次に、このような構成により、冷房運転又は暖房運転する場合の動作を説明する。
【００１５】
このように構成されたマルチ形空気調和機において、接続されている室内機の４台中２台が冷房運転をするときの冷媒動作を、室内機Ｙａ及びＹｂが運転する場合で説明する。膨張弁６ａ、６ｂは所定開度になるように開き、膨張弁６ｃ、６ｄは全閉とする。圧縮機１を吐出した高圧高温ガス冷媒は、四方弁２を介して室外ファン４により送風されている室外熱交換器３に流入し、ここで周囲空気と熱交換して凝縮し、高圧液冷媒として流出する。流出した高圧液冷媒は分岐して膨張弁６ａ、６ｂに流入し、減圧されて低圧気液二相冷媒となり、液配管１１ａ、１１ｂを介して室内ファン８ａ、８ｂにより強制送風されている室内熱交換器７ａ、７ｂに流入し、ここで周囲空気と熱交換して蒸発し、低圧ガス冷媒として流出する。流出した低圧ガス冷媒はガス配管１２ａ、１２ｂを介した後で合流し、四方弁２、液溜１０を介して圧縮機１に戻る。なお、運転停止中の室内機Ｙｃ、Ｙｄの室内ファン８ｃ、８ｄは停止状態である。
【００１６】
暖房運転するときの冷媒動作を室内機Ｙａ及びＹｂが運転する場合で説明する。膨張弁６ａ、６ｂを所定開度になるように開き、膨張弁６ｃ、６ｄは運転室内機に対応する膨張弁の開度よりも小さくなるよう設定された開度とする。圧縮機１を吐出した高圧高温ガス冷媒は四方弁２を介した後分岐し、ガス配管１２ａ、１２ｂを介して室内ファン８ａ、８ｄにより強制送風されている室内熱交換器７ａ、７ｂに流入し、ここで周囲空気と熱交換して凝縮し、高圧液冷媒として流出する。流出した高圧液冷媒は液配管１１ａ、１１ｂを介して膨張弁６ａ、６ｂに流入し、減圧されて低圧気液二相冷媒となったあと合流して室外熱交換器３に流入し、ここで周囲空気と熱交換して蒸発し、低圧ガス冷媒として流出する。流出した低圧ガス冷媒は、四方弁２、液溜１０を介して圧縮機１に戻る。なお、停止中の室内機Ｙｃ、Ｙｄの室内ファン８ｃ、８ｄは停止状態である。
【００１７】
これより、配線の誤配線接続の自動修正の動作について説明する。
図２は本発明の実施の形態１における据付時に誤配線接続された冷媒回路の一例を示す図である。図３は本発明の実施の形態１における異常検知制御手順を示す図である。図４〜図８は異常検知制御の詳細手順を示す図である。
室外機Ｘの室外機制御手段１４と室内機Ｙｉ（ｉはそれぞれの室内機名を示す）の室内機制御手段１５ｉとの配線に誤配線接続がなく正常な場合（図１）の動作、及び、誤配線接続されてしまった場合（図２）の誤配線接続を修正する動作について以下に説明する。
【００１８】
（正常配線ケース）
図１は、正常に配線接続されている。ここで、室内機Ｙａの運転を開始するときの制御手順を図３に基づいて説明する。室内機Ｙａのリモコン１３ａにより冷房運転モードを選択し運転開始操作を行ったとき、室内機Ｙａの室内機制御手段１５ａは室内機起動運転（Ｓ１）を開始する。手順Ｓ１の詳細手順を図４に示す。リモコン１３ａの運転ボタンが押されると、室内機制御手段１５ａは配線２３ａを介して冷房運転指令を受信する（Ｓ１−１）。なお、配線２３ａは有線又は無線のどちらでも良い。室内機制御手段１５ａは配線２４ａを介して室内ファンモータ９ａを所定回転数で運転させる（Ｓ１−２）。そして、配線１８ａを介して室外機制御手段１４に運転指令を送信し、室内機Ｙａが冷房運転を開始したことを連絡する（Ｓ１−３）。室外機制御手段１４は運転指令を受信し、室内機Ｙａが運転開始したことを認識し、圧縮機１の運転周波数、室外ファンモータ５の回転数、四方弁２の流路を適正な状態になるように調整し、膨張弁６ａを所定開度開ける（Ｓ１−４）。室外機制御手段１４は室内機Ｙａが運転状態であることを記憶する（Ｓ１−５）。
【００１９】
次に所定時間が経過したか否かを判断し（Ｓ２）、例えば５分の所定時間が経過したとき、室外機制御手段１４が、運転状態であると記憶している室内機（以下、運転室内機）について、以前に誤配線検知制御が行われたかどうかの確認を行う（Ｓ３）。この確認を行うのは、誤配線検知制御を実施済の室内機に対して、再度、誤配線検知制御を適用することを防止するためであり、すぐに通常運転に移行することができるようにするためである。Ｓ３において、室外機制御手段１４の揮発性メモリに運転室内機Ｙａの誤配線検知完了ビット＝１が確認されればそのまま通常運転を行い、誤配線検知完了ビット＝１が確認されなければ、運転室内機Ｙａの異常判定を行う（Ｓ４）。
【００２０】
ここで、運転室内機Ｙａの異常判定（Ｓ４）の詳細手順を図５に示す。室内機制御手段１５ａは室内吸込空気温度検出手段１６ａにより、計測情報としての室内吸込空気温度Ｔ１６ａを、配線２５ａを介して検出し、室内熱交換器温度検出手段１７ａにより、計測情報としての室内熱交換器７ａの管温度Ｔ１７ａを、配線２６ａを介して検出する（Ｓ４−１）。検出した室内吸込空気温度Ｔ１６ａ及び室内熱交換器７ａの管温度Ｔ１７ａの温度データ（計測情報）は、配線１８ａを介して室外機制御手段１４に送信する（Ｓ４−２）。室外機制御手段１４は受信した室内吸込空気温度Ｔ１６ａ及び室内熱交換器７ａの管温度Ｔ１７ａの温度データの温度差ΔＴａを演算する。
冷房運転時の演算式はΔＴａ＝Ｔ１６ａ−Ｔ１７ａとする（Ｓ４−３）。演算した温度差ΔＴａと第一の所定の範囲内である所定値α１とを比較し（Ｓ４−４）、例えば７ｄｅｇの所定値α１より大きければ正常（Ｓ４−５）、小さければ異常（Ｓ４−６）と判断する。
また、暖房運転時の演算式はΔＴａ＝Ｔ１７ａ−Ｔ１６ａとする（Ｓ４−４）。演算した温度差ΔＴａが所定値α２とα３との間にあるかを検査し、条件を満たせば正常（Ｓ４−５）、満たさなければ異常（Ｓ４−６）と判断する。ここで、所定値α２は例えば１０ｄｅｇ、α３は例えば２０ｄｅｇとする。
【００２１】
ここで、上記の場合においては、配線の接続は正常であるため、室内熱交換器７ａに連通する膨張弁６ａは所定開度開いており、室内ファン８ａにより送風されている室内熱交換器７ａに冷媒が流通し、熱交換され蒸発し、室内熱交換器７ａの管温度Ｔ１７ａは室内吸込空気温度Ｔ１６ａに対して所定温度以上に低下し、温度差ΔＴａは所定値α１より大きくなる。よって手順Ｓ４−４で正常と判定され、異常検出制御を終了する。
【００２２】
（誤配線ケース１）
図２に示すように、作業者による誤配線によって、配線１８ａは一端を室内機Ｙａの室内機制御手段１５ａに、他端が誤って室外機制御手段１４の室内機Ｙｄ用接続口に接続され、配線１８ｂは一端を室内機Ｙｂの室内機制御手段１５ｂに、他端が誤って室外機制御手段１４の室内機Ｙａ用接続口に接続され、配線１８ｃは一端を室内機Ｙｃの室内機制御手段１５ｃに、他端が誤って室外機制御手段１４の室内機Ｙｂ用接続口に接続され、配線１８ｄは一端を室内機Ｙｄの室内機制御手段１５ｄに、他端が誤って室外機制御手段１４の室内機Ｙｃ用接続口に接続されてしまった状態とする。
この状態で室内機Ｙａの運転を開始するときの制御手段を図３に基づいて説明する。
【００２３】
室内機Ｙａのリモコン１３ａにより冷房モードを選択し運転開始操作を行ったとき、室内機Ｙａの室内機制御手段１５ａは室内機起動運転（Ｓ１）を開始する。手順Ｓ１の詳細手順を図４に示す。リモコン１３ａの運転ボタンが押されると、室内機制御手段１５ａは配線２３ａを介して冷房運転指令を受信する（Ｓ１−１）。室内機制御手段１５ａは配線２４ａを介して室内ファンモータ９ａを所定回転数で運転させる（Ｓ１−２）。そして、配線１８ａを介して室外機制御手段１４に運転指令を送信し、室内機Ｙａが冷房運転を開始したことを連絡する（Ｓ１−３）。ここで、誤配線接続により配線１８ａは室外機制御手段１４の室内機Ｙｄ用接続口に接続されているので、室外機制御手段１４は室内機Ｙｄが運転を開始したと認識し、圧縮機１の運転周波数、室外ファンモータ５の回転数、四方弁２の流路を適正状態になるように調整し、膨張弁６ｄを所定開度開け、膨張弁６ａは全閉のままとする（Ｓ１−４）。室外機制御手段１４は室内機Ｙｄが運転状態であることを記憶する（Ｓ１−５）。
【００２４】
次に所定時間が経過したか否かを判定し（Ｓ２）、例えば５分の所定時間が経過したとき、室外機制御手段１４が運転状態であると記憶している運転室内機について、過去に誤配線検知が行われたかどうかの確認を行う（Ｓ３）。室外機制御手段１４の揮発性メモリに運転室内機Ｙｄの誤配線検知完了ビット＝１が確認されればそのまま通常運転を行い、誤配線検知完了ビット＝１が確認されなければ、室外機制御手段１４が運転状態と認識している室内機Ｙｄの異常判定を行う（Ｓ４）。室外機制御手段１４の室内機Ｙｄ用の配線接続口には配線１８ａが接続されているので、手順Ｓ４−１によって検出される室内機Ｙａの室内吸込空気温度Ｔ１６ａ、室内熱交換器７ａの管温度Ｔ１７ａが室外機制御手段１４に送信され（Ｓ４−２）、この２つの温度データから温度差ΔＴｄ＝Ｔ１６ａ−Ｔ１７ａを演算する（Ｓ４−３）。
【００２５】
このとき、室内ファン８ａにより送風されている室内熱交換器７ａに連通する膨張弁６ａは全閉状態なので室内熱交換器７ａに冷媒が流通しないため、室内熱交換器７ａ内の滞留冷媒はすぐに蒸発して室内熱交換器７ａの管温度Ｔ１７ａは室内吸込空気温度Ｔ１６ａとほぼ同等温度になる。よって温度差ΔＴｄは所定値α１（例えば７ｄｅｇ）より小さい値となり、手順Ｓ４−４で異常と判定する。このとき、室外機制御手段１４は異常運転室内機として室内機Ｙｄを記憶する。
【００２６】
次に運転室内機の台数を抽出し（Ｓ５）、室外機制御手段１４が停止状態であると認識している室内機（以下、停止室内機という）の全て（Ｙａ、Ｙｂ、Ｙｃ）について異常判定を行う（Ｓ６）。手順Ｓ６の詳細手順を図６に示す。まず、室外機制御手段１４は、停止室内機の室内機（Ｙａ、Ｙｂ、Ｙｃ）と停止室内機の台数（ｐ＝３）を抽出し（Ｓ６−１）、それぞれの停止室内機について異常判定を行う。
【００２７】
停止室内機の室内機制御手段１５ｉ（ｉはそれぞれの室内機名を示す）は、室内吸込空気温度検出手段１６ｉにより、室内吸込空気温度Ｔ１６ｉを、配線２５ｉを介して検出し、室内熱交換器温度検出手段１７ｉにより、室内熱交換器７ｉの管温度Ｔ１７ｉを、配線２６ｉを介して検出する（Ｓ６−２）。検出した温度データＴ１６ｉとＴ１７ｉは配線１８ｉを介して室外機制御手段１４に送信する（Ｓ６−３）。室外機制御手段１４は受信した２つの温度データの差ΔＴｉを演算する。
冷房運転時の演算式はΔＴｉ＝Ｔ１６ｉ−Ｔ１７ｉとする（Ｓ６−４）。演算した温度差ΔＴｉと第二の所定の範囲内である所定値β１とを比較し（Ｓ６−５）、所定値β１より小さければ正常（Ｓ６−６）、大きければ異常（Ｓ６−７）と判定する。
暖房運転時の演算式はΔＴｉ＝Ｔ１７ｉ−Ｔ１６ｉとする（Ｓ６−４）。演算した温度差ΔＴｉと第二の所定の範囲内である所定値β２とを比較し（Ｓ６−５）、所定値β２より大きければ正常（Ｓ６−６）、小さければ異常（Ｓ６−７）と判定する。ここで、β１は例えば３．５ｄｅｇ、β２は例えば２０ｄｅｇとする。異常の場合、室外機制御手段１４は異常室内機を記憶する（Ｓ６−８）。
以上、Ｓ６−２からＳ６−８までの手順を全停止室内機において実施する（Ｓ６−９）。
【００２８】
ここで、誤配線接続により、室外機制御手段１４における室内機Ｙｃ用の配線接続口には配線１８ｄが接続されているので、室内機Ｙｄの室内吸込空気温度Ｔ１６ｄ、室内熱交換器７ｄの管温度１７ｄが室外機制御手段１４に送信され、この２つの温度データから温度差ΔＴｃを演算することになる。室内ファン８ｄが運転している室内熱交換器７ｄに連通する膨張弁６ｄは所定開度開いており、室内熱交換器７ｄを流れる冷媒温度は大きく低下するため、温度差ΔＴｃは所定値β１より大きい値となり、手順Ｓ６−５で異常と判定され、異常室内機として室内機Ｙｃを記憶する。
【００２９】
同様に、室外機制御手段１４における室内機Ｙａ用の配線接続口に接続されている室内機Ｙｂの温度データをもとに温度差ΔＴａを、室内機Ｙｂ用の配線接続口に接続されている室内機Ｙｃの温度データをもとに温度差ΔＴｂを演算する。この場合、温度差ΔＴａは室内機Ｙｂの室内吸込空気温度Ｔ１６ｂと室内熱交換器７ｂの管温度Ｔ１７ｂから演算される。室内ファン８ｂが停止している室内熱交換器７ｂに連通する膨張弁６ｂは全閉しているので冷媒が流れず、ΔＴａは所定値β１より小さい値となり、手順Ｓ６−５で正常と判定される。また、温度差ΔＴｂは室内機Ｙｃの室内吸込空気温度Ｔ１６ｃと室内熱交換器７ｃの管温度Ｔ１７ｃから演算される。室内ファン８ｃが停止している室内熱交換器７ｃに連通する膨張弁６ｃは全閉しているので冷媒が流れず、ΔＴｂは所定値β１（例えば３．５ｄｅｇ）より小さい値となり、手順Ｓ６−５で正常と判定される。
【００３０】
次に、室外機制御手段１４は、運転停止室内機の中で異常と判定された室内機が１台以上あるか否かを判断し（Ｓ７）、異常停止室内機が１台以上のとき、膨張弁動作パターン抽出（Ｓ８）を実施する。なお、異常停止室内機が０だと判定した場合は、例えば室外機の制御基板上のＬＥＤやリモコンの表示盤に、誤配線以外の異常がある旨を報知し（Ｓ１９）、異常検出制御を終了する。
【００３１】
手順Ｓ８の詳細手順を図７に示す。室外機制御手段１４は、当該室外機制御手段１４に配線接続されている全室内機の台数である接続台数Ｎを抽出し、接続台数Ｎと運転台数ｎとを用いて膨張弁の動作パターンの組合せと、その動作パター数を算出する。つまり、運転台数ｎと同じ数の冷媒回路を冷媒が循環する状態とし、その他の冷媒回路を冷媒が循環しない状態とする膨張弁の動作パターンを求める。この動作パターンは、接続台数Ｎを要素として運転台数ｎの個数を選択する組合せ（重複しない組合せ）により求めることができ、その組合せ数ｒは、ｒ＝NＣnとなる。
【００３２】
室外機制御手段１４は、手順Ｓ８で抽出した膨張弁の動作パターンに従い、膨張弁６の動作入れ替えを行う（Ｓ９）。そして、所定時間経過後に（Ｓ１０）、運転台数に変化がないか否かの判定を行い（Ｓ１１）、変化がなければ全ての室内機につき異常再判定を行う（Ｓ１２）。なお、運転台数に変化がある場合は手順Ｓ５に戻る。
【００３３】
手順Ｓ１２の詳細手順を図８に示す。室外機制御手段１４は、異常再判定の対象としている室内機が運転と認識している室内機であるか否かを判断し（Ｓ１２−１）、運転室内機の場合、上述した手順Ｓ４に従い異常判定を行う（Ｓ１２−２）。また、停止室内機の場合、上述した手順Ｓ６−１からＳ６−９に従い異常判定を行う（Ｓ１２−３）。この異常再判定を全ての室内機を対象として実施する（Ｓ１２−４）。
【００３４】
このような異常再判定によって、膨張弁６を動作パターンに従い切り替えた状態で、室外機制御手段１４が運転していると認識している室内機Ｙｄの温度差ΔＴｄが所定値α１より大きくなっており、かつ、室外機制御手段１４が停止していると認識している室内機Ｙａの温度差ΔＴａ、室内機Ｙｂの温度差ΔＴｂ、室内機Ｙｃの温度差ΔＴｃが所定値β１より小さくなっているかどうかを判定する。
【００３５】
ここでは、所定開度開いている膨張弁６ｄを全閉し、膨張弁６ｃを所定開度に開く動作パターンに切り替える。そのため、室内機Ｙｃに冷媒が流れることとなる。このとき、運転室内機Ｙｄの温度差ΔＴｄは室内機Ｙａの室内吸込空気温度Ｔ１６ａ、室内熱交換器７ａの管温度Ｔ１７ａを用い、ΔＴｄ＝Ｔ１６ａ−Ｔ１７ａで演算される。膨張弁６ａは全閉のままなので、ΔＴｄは所定値α１より小さい値となり、条件を満たさない。室外機制御手段１４は、運転室内機Ｙｄにつき、膨張弁６ｃと対応異常であると記憶する。
また、停止室内機Ｙａの温度差ΔＴａ、停止室内機Ｙｂの温度差ΔＴｂ、停止室内機Ｙｃの温度差ΔＴｃは、それぞれΔＴａ＝Ｔ１６ｂ−Ｔ１７ｂ、ΔＴｂ＝Ｔ１６ｃ−Ｔ１７ｃ、ΔＴｃ＝Ｔ１６ｄ−Ｔ１７ｄで演算される。ここでは、ΔＴａ、ΔＴｃは所定値β１より小さい値となり、条件を満たすが、ΔＴｂは所定値β１より大きい値となるため、条件を満たさない。
この結果から、室外機制御手段１４における室内機Ｙｂ用の配線接続口に接続されている室内機と、それに対応する冷媒回路を制御する膨張弁６ｃとが正常の組み合わせである可能性が高いということとが分かる。そのため、室外機制御手段１４は、停止室内機Ｙａ、Ｙｃにつき、膨張弁６ｃと対応異常であると記憶し、停止室内機Ｙｂにつき、膨張弁６ｃと対応正常であると記憶する。
【００３６】
室外機制御手段１４は、異常再判定の結果が全ての室内機について正常である否かを判定し（Ｓ１３）、全てが正常でない場合は、手順Ｓ８で抽出した膨張弁の動作パターンの全てについて異常再判定を実施したか否かを判断し（Ｓ１４）、全て実施していない場合は手順Ｓ９に戻る。なお、全ての室内機について正常でないと判断し、全ての動作パターンを実施した場合には、誤配線修正ビットに０を書き込み（Ｓ１８）、例えば室外機の制御基板上のＬＥＤやリモコンの表示盤に、誤配線以外の異常がある旨を報知する（Ｓ１９）。
【００３７】
次の動作パターンとして、膨張弁６ｃを全閉にし、膨張弁６ｂを所定開度に開く。そのため、室内機Ｙｂに冷媒が流れることとなる。ΔＴｄ＝Ｔ１６ａ−Ｔ１７ａで演算される運転室内機の温度差ΔＴｄは、所定値α１より小さい値となり、条件を満たさない。室外機制御手段１４は、運転室内機Ｙｄにつき、膨張弁６ｂと対応異常であると記憶する。
また、それぞれΔＴａ＝Ｔ１６ｂ−Ｔ１７ｂ、ΔＴｂ＝Ｔ１６ｃ−Ｔ１７ｃ、ΔＴｃ＝Ｔ１６ｄ−Ｔ１７ｄで演算される、停止室内機Ｙａ、Ｙｂ、Ｙｃの温度差ΔＴａ、ΔＴｂ、ΔＴｃについて、ΔＴｂ、ΔＴｃは所定値β１より小さい値となり、条件を満たすが、ΔＴａは所定値β１より大きい値となるため、条件を満たさない。
この結果から、室外機制御手段１４における室内機Ｙａ用の配線接続口に接続されている室内機と、それに対応する冷媒回路を制御する膨張弁６ｂとが正常の組み合わせである可能性が高いということが分かる。そのため、室外機制御手段１４は、停止室内機Ｙｂ、Ｙｃにつき、膨張弁６ｂと対応異常であると記憶し、停止室内機Ｙａにつき、膨張弁６ｂと対応正常であると記憶する。
【００３８】
最後に、膨張弁６ｂを全閉にし、膨張弁６ａを所定開度に開く。そのため、室内機Ｙａに冷媒が流れることとなる。ΔＴｄ＝Ｔ１６ａ−Ｔ１７ａで演算される運転室内機の温度差ΔＴｄは、所定値α１より大きい値となり、条件を満たす。室外機制御手段１４は、運転室内機Ｙｄにつき、膨張弁６ａと対応正常であると記憶する。また、それぞれΔＴａ＝Ｔ１６ｂ−Ｔ１７ｂ、ΔＴｂ＝Ｔ１６ｃ−Ｔ１７ｃ、ΔＴｃ＝Ｔ１６ｄ−Ｔ１７ｄで演算される、停止室内機Ｙａ、Ｙｂ、Ｙｃの温度差ΔＴａ、ΔＴｂ、ΔＴｃについて、ΔＴａ、ΔＴｂ、ΔＴｃは全て所定値β１より小さい値となるため条件を満たす。この結果から、室外機制御手段１４は停止室内機Ｙａ、Ｙｂ、Ｙｃにつき、膨張弁６ａと対応異常であると記憶する。
【００３９】
以上のことから、運転室内機Ｙｄと、それと対応する冷媒回路を制御する膨張弁６ａが一致することが分かると同時に、停止室内機Ｙａと、それと対応する冷媒回路を制御する膨張弁６ｂ、停止室内機Ｙｂと、それと対応する冷媒回路を制御する膨張弁６ｃ、停止室内機Ｙｃと、それと対応する冷媒回路を制御する膨張弁６ｄが一致することが分かる。つまり、室外機制御手段１４の室内機Ｙａ用の接続口には室内機Ｙｂが、室内機Ｙｂ用の接続口には室内機Ｙｃが、室内機Ｙｃ用の接続口には室内機Ｙｄが、室内機Ｙｄ用の接続口には室内機Ｙａが誤配線接続されているということが分かる。
そこで、室外機制御手段１４は、上記結果に応じた配線の認識入れ替えを行う（Ｓ１５）。つまり、室内機制御手段１５と接続された各配線１８と、当該室外機制御手段１４が制御する各冷媒回路との対応付けを行い、配線接続の認識を変更する。認識入れ替え終了後、室外機制御手段１４内の揮発性メモリの運転室内機Ｙｄにつき、誤配線修正ビット及び誤配線検知完了ビットに１を書き込み（Ｓ１６、Ｓ１７）、異常検知制御を終了する。
【００４０】
（誤配線ケース２）
上記（誤配線ケース１）の状態（図２）において、室内機Ｙａだけでなく、Ｙｂ、Ｙｃも運転が開始され、運転台数が３台の場合について説明を行う。室内機Ｙａ、Ｙｂ、Ｙｃがリモコン１３ａ、１３ｂ、１３ｃによってそれぞれ冷房運転操作を行われた場合、室外機制御手段１４は室内機起動運転（Ｓ１）を経て、誤配線接続があるため膨張弁６ａ、６ｂ、６ｄを所定開度開き、膨張弁６ｃを全閉状態とし、室内機Ｙａ、Ｙｂ、Ｙｄを運転室内機だと記憶する。
【００４１】
次に所定時間が経過したか否かを判定し（Ｓ２）、所定時間が経過したとき、運転室内機について、過去に誤配線検知が行われたかどうかの確認を行う（Ｓ３）。誤配線検知完了ビット＝１が確認されなければ、室外機制御手段１４が運転状態と認識している室内機Ｙａ、Ｙｂ、Ｙｄの異常判定を行う（Ｓ４）。室外機制御手段１４の室内機Ｙｄ用の配線接続口には配線１８ａが接続されているので、手順Ｓ４−１によって検出される室内機Ｙａの室内吸込空気温度Ｔ１６ａ、室内熱交換器７ａの管温度Ｔ１７ａが室外機制御手段１４に送信され（Ｓ４−２）、この２つの温度データから温度差ΔＴｄを演算する。同様に室内機Ｙｂ、Ｙｄについても温度差ΔＴｂ、ΔＴｄを演算する。ここでは、温度差ΔＴはそれぞれΔＴａ＝Ｔ１６ｂ−Ｔ１７ｂ、ΔＴｂ＝Ｔ１６ｃ−Ｔ１７ｃ、ΔＴｄ＝Ｔ１６ａ−Ｔ１７ａで求められる。
【００４２】
このとき、室外機制御手段１４の室内機Ｙａ用の接続口に接続されている室内機Ｙｂは誤配線の状態であるが、室内熱交換器７ｂに連通する膨張弁６ｂは所定開度開いており、室内ファン８ｂにより送風されている室内熱交換器７ｂに冷媒が流通し、熱交換され蒸発し、室内熱交換器７ｂの管温度Ｔ１７ｂは室内吸込空気温度Ｔ１６ｂに対して所定温度以上に低下し、温度差ΔＴａは所定値α１より大きくなる。よって、室内機Ｙａは手順Ｓ４−４で正常と判定される。
同様に、室外機制御手段１４の室内機Ｙｄ用の接続口に接続されている室内機Ｙａも誤配線の状態ではあるが、室内熱交換器７ａに連通する膨張弁６ａは所定開度開いており、室内ファン８ａにより送風されている室内熱交換器７ａに冷媒が流通し、熱交換され蒸発し、室内熱交換器７ａの管温度Ｔ１７ａは室内吸込空気温度Ｔ１６ａに対して所定温度以上に低下し、温度差ΔＴｄは所定値α１より大きくなる。よって室内機Ｙｄは手順Ｓ４−４で正常と判定される。
【００４３】
しかし、室外機制御手段１４の室内機Ｙｂ用の接続口に接続されている室内機Ｙｃについては、室内ファン８ｃにより送風されている室内熱交換器７ｃに連通する膨張弁６ｃは全閉状態なので室内熱交換器７ｃに冷媒が流通しないため、室内熱交換器７ｃ内の滞留冷媒はすぐに蒸発して室内熱交換器７ｃの管温度Ｔ１７ｃは室内吸込空気温度Ｔ１６ｃとほぼ同等温度になる。よって温度差ΔＴｂは所定値α１より小さい値となり、室内機Ｙｂは手順Ｓ４−４で異常と判定される。このとき、室外機制御手段１４は異常運転室内機として室内機Ｙｂを記憶する。
【００４４】
次に、室外機制御手段１４は、手順Ｓ６に従い、停止室内機の室内機Ｙｃと室数（ｐ＝１）を抽出する。停止室内機Ｙｃについて異常判定を行う。
【００４５】
ここで、誤配線接続により、室外機制御手段１４における室内機Ｙｃ用の配線接続口には配線１８ｄが接続されているので、室内機Ｙｄの室内吸込空気温度Ｔ１６ｄ、室内熱交換器７ｄの管温度１７ｄが室外機制御手段１４に送信され、この２つの温度データから温度差ΔＴｃを演算することになる。室内熱交換器７ｄに連通する膨張弁６ｄは所定開度開いており、室内熱交換器７ｄを流れる冷媒温度は大きく低下するため、温度差ΔＴｃは所定値β１より大きい値となり、手順Ｓ６−５で異常と判定され、異常室内機として室内機Ｙｃを記憶する。
【００４６】
次に、室外機制御手段１４は、異常停止室内機の台数が１台以上あるか否かを判断し、（Ｓ７）、異常停止室内機が１台以上のとき、膨張弁動作パターン抽出（Ｓ８）を実施する。手順Ｓ７で抽出した膨張弁の動作パターンに従い、膨張弁６ａ〜６ｄについて動作入れ替えを行う（Ｓ９）。そして、所定時間経過後に（Ｓ１０）、運転台数に変化がないかの判定を行い（Ｓ１１）、変化がなければ全ての室内機について異常再判定を行う（Ｓ１２）。
【００４７】
室外機制御手段１４が運転していると認識している室内機Ｙａの温度差ΔＴａ、室内機Ｙｂの温度差ΔＴｂ、室内機Ｙｄの温度差ΔＴｄが所定値α１より大きくなっており、かつ室外機制御手段１４が停止していると認識している室内機Ｙｃの温度差ΔＴｃが所定値β１より小さくなっているかどうかを判定する。
【００４８】
ここでは、運転室内機Ｙａ、Ｙｂ、Ｙｄに対して、膨張弁６ａ、６ｂ、６ｄでは異常判定となる室内機が存在するため、手順Ｓ８に従い、所定開度開く膨張弁を膨張弁６ｂ、６ｃ、６ａに変更する。これにより、室内機Ｙｂ、Ｙｃ、Ｙａに冷媒が流れることとなる。このとき、運転室内機Ｙａの温度差ΔＴａは室内機Ｙｂの室内吸込空気温度Ｔ１６ｂ、室内熱交換器７ｂの管温度Ｔ１７ｂを用い、ΔＴａ＝Ｔ１６ｂ−Ｔ１７ｂで演算される。そのため、温度差ΔＴａは所定値α１より大きい値となり、条件を満たす。同様に、室内機Ｙｂについても温度差ΔＴｂ＝Ｔ１６ｃ−Ｔ１７ｃを演算し、室内機Ｙｄについても温度差ΔＴｄ＝Ｔ１６ａ−Ｔ１７ａを演算する。これらは所定値α１より大きい値となるため、条件を満たす。室外機制御手段１４は、運転室内機Ｙａ、Ｙｂ、Ｙｄにつき、膨張弁６ｂ、６ｃ、６ａと対応正常であると記憶する。また、停止室内機Ｙｃの温度差ΔＴｃはΔＴｃ＝Ｔ１６ｄ−Ｔ１７ｄで演算される。ここでは、ΔＴｃは所定値β１より小さい値となり、条件を満たす。この結果から、室外機制御手段１４における室内機Ｙｃ用の配線接続口に接続されている室内機と、それに対応する冷媒回路を制御する膨張弁６ｄとが正常の組み合わせである可能性が高いということが分かる。そのため、室外機制御手段１４は、停止室内機Ｙｃにつき、膨張弁６ｄと対応正常であると記憶する。
【００４９】
続いて、所定開度開く膨張弁を、膨張弁６ｂ、６ｃ、６ｄに変更する。これにより、室内機Ｙｂ、Ｙｃ、Ｙｄに冷媒が流れることとなる。このとき、運転室内機Ｙａ、Ｙｂの温度差ΔＴａ、ΔＴｂはそれぞれ所定値α１より大きい値となり、条件を満たすが、運転室内機Ｙｄの温度差ΔＴｄは所定値α１より小さい値となり、条件を満たさない。室外機制御手段１４は、運転室内機Ｙａ、Ｙｂにつき、膨張弁６ｂ、６ｃ、６ｄと対応正常であると記憶し、運転室内機Ｙｄにつき、膨張弁６ｂ、６ｃ、６ｄと対応異常であると記憶する。また、停止室内機Ｙｃの温度差ΔＴｃはΔＴｃ＝Ｔ１６ｄ−Ｔ１７ｄで演算される。ここでは、ΔＴｃは所定値β１より大きい値となり、条件を満たさない。この結果から、室外機制御手段１４における室内機Ｙｃ用の配線接続口に接続されている室内機と、それに対応する冷媒回路を制御する膨張弁６ｂ、６ｃ、６ｄのいずれかに正常の組み合わせがあるということが分かる。そのため、室外機制御手段１４は、停止室内機Ｙｃにつき、膨張弁６ｂ、６ｃ、６ｄと対応正常であると記憶する。
【００５０】
更に、所定開度開く膨張弁を、膨張弁６ｃ、６ｄ、６ａに変更する。これにより、室内機Ｙｃ、Ｙｄ、Ｙａに冷媒が流れることとなる。このとき、運転室内機Ｙｂ、Ｙｄの温度差ΔＴｂ、ΔＴｄはそれぞれ所定値α１より大きい値となり、条件を満たすが、運転室内機Ｙａの温度差ΔＴａは所定値α１より小さい値となり、条件を満たさない。室外機制御手段１４は、運転室内機Ｙｂ、Ｙｄにつき、膨張弁６ｃ、６ｄ、６ａと対応正常であると記憶し、運転室内機Ｙａにつき、膨張弁６ｃ、６ｄ、６ａと対応異常であると記憶する。また、停止室内機Ｙｃの温度差ΔＴｃはΔＴｃ＝Ｔ１６ｄ−Ｔ１７ｄで演算される。ここでは、ΔＴｃは所定値β１より大きい値となり、条件を満たさない。この結果から、室外機制御手段１４における室内機Ｙｃ用の配線接続口に接続されている室内機と、それに対応する冷媒回路を制御する膨張弁６ｃ、６ｄ、６ａのいずれかに正常の組み合わせがあるということが分かる。そのため、室外機制御手段１４は、停止室内機Ｙｃにつき、膨張弁６ｃ、６ｄ、６ａと対応正常であると記憶する。
【００５１】
上記の結果をまとめると、運転室内機Ｙａについて対応正常であると判定された膨張弁の組み合わせ全てに存在した膨張弁は膨張弁６ｂ、運転室内機Ｙｂについて対応正常であると判定された膨張弁の組み合わせ全てに存在した膨張弁は膨張弁６ｃ、運転室内機Ｙｄについて対応正常であると判定された膨張弁の組み合わせ全てに存在した膨張弁は膨張弁６ａであり、停止室内機Ｙｃについて、対応正常であると判定された膨張弁は膨張弁６ｄである。
【００５２】
以上のことから、停止室内機Ｙｃと、それと対応する冷媒回路を制御する膨張弁６ｄが一致することが分かると同時に、運転室内機Ｙａと、それと対応する冷媒回路を制御する膨張弁６ｂ、運転室内機Ｙｂと、それと対応する冷媒回路を制御する膨張弁６ｃ、運転室内機Ｙｄと、それと対応する冷媒回路を制御する膨張弁６ａが一致することが分かる。つまり、室外機制御手段１４の室内機Ｙａ用の接続口には室内機Ｙｂが、室内機Ｙｂ用の接続口には室内機Ｙｃが、室内機Ｙｃ用の接続口には室内機Ｙｄが、室内機Ｙｄ用の接続口には室内機Ｙａが誤配線接続されているということが分かる。
そこで、室外機制御手段１４は、上記結果に応じた配線の認識入れ替えを行う（Ｓ１５）。認識入れ替え終了後、室外機制御手段１４内の揮発性メモリの運転室内機Ｙａ、Ｙｂ、Ｙｄにつき、誤配線修正ビット及び誤配線検知完了ビットに１を書き込み、異常検知制御を終了する。
【００５３】
なお、本実施の形態１では異常検知制御を開始するタイミングとして、室内機の起動を取り上げたが、通常運転中に開始しても良いことは言うまでもない。また、例として４室接続のマルチエアコンを挙げたが、接続口は何口になろうと誤配線検知とその修正が可能であることは言うまでもない。更に、異常検知制御中に、運転室内機の台数が変化しても構わない。また、暖房運転でも良いことは言うまでもない。
【００５４】
なお、本実施の形態１では、膨張弁６により冷媒を循環させる室内機Ｙの冷媒回路を切り替える場合を説明したが、これに限らず、例えば各室内機Ｙへの冷媒経路を開閉する開閉弁を設け、動作パターンに従いこの開閉弁を開閉することで、冷媒を循環させる冷媒回路と、冷媒を循環させない冷媒回路とを切り替えるようにしても良い。
【００５５】
以上のように本実施の形態１においては、室内機制御手段１５が、当該室内機Ｙの運転指令を室外機制御手段１４に送信し、室外機制御手段１４が、運転指令を受信した配線１８に対応する室内機Ｙの冷媒回路の冷媒循環を制御し、受信した室内機Ｙの運転指令と、冷媒循環を制御した室内機Ｙの冷媒回路とが一致しないとき、室外機制御手段１４と室内機制御手段１５とが接続された配線１８と、冷媒循環を制御する室内機Ｙの冷媒回路との対応付けを変更し、受信した室内機Ｙの運転指令と、冷媒循環を制御する室内機Ｙの冷媒回路とを一致させることにより、配線の接続を変更することなく、誤配線接続を解消することができる。
【００５６】
また、運転中の室内機Ｙの台数に基づき、冷媒を循環させる冷媒回路と、冷媒を循環させない冷媒回路との動作パターンを抽出し、この動作パターンに従い、冷媒を循環させる冷媒回路を切り替える。そして、このときの計測情報を受信した配線１８に対応する室内機Ｙの運転状態とに基づき、室外機制御手段１４と室内機制御手段１５とが接続された配線１８と、冷媒循環を制御する室内機Ｙの冷媒回路との対応付けを変更し、受信した室内機Ｙの運転指令と、冷媒循環を制御する室内機Ｙの冷媒回路とを一致させるように配線接続の認識を変更する。このため、複数の誤接続が存在する場合において、複数の室内機Ｙが運転している場合であっても、一度の診断運転により、配線の接続を変更することなく、誤配線接続を解消することができる。
【００５７】
また、室外機制御手段１４は、受信した室内機Ｙの運転指令と、冷媒循環を制御する室内機Ｙの冷媒回路とが複数一致しないとき、室内機制御手段１５と接続される配線１８と、室外機制御手段１４が制御する冷媒回路との対応付けをそれぞれ変更することにより、複数の誤配線接続が存在する場合においても誤配線接続状態を解消することができる。
【００５８】
また、室外機制御手段１４は、室内吸込空気温度Ｔ１６と室内熱交換器７の管温度Ｔ１７との温度差ΔＴを演算し、演算した温度差ΔＴと受信した室内機Ｙの運転指令に基づき室内機Ｙが異常か否かを判定し、室内機Ｙが異常と判定したとき、室内機制御手段１５より受信した室内機Ｙの運転指令と、室外機制御手段１４が冷媒循環を制御する室内機Ｙの冷媒回路とが一致しないものとして、異常と判定した室内機Ｙの室内機制御手段１５と接続される配線１８と、室外機制御手段１４が制御する冷媒回路との対応付けを変更することにより、誤配線接続の組み合わせを検出し、再配線工事無しで誤配線接続状態を解消することができる。
【００５９】
また、室外機制御手段１４は、運転室内機Ｙの室内吸込空気温度Ｔ１６と室内熱交換器７の管温度Ｔ１７との温度差ΔＴを演算し、演算した温度差を所定値αと比較して異常運転か否かを判定し、停止室内機の室内吸込空気温度Ｔ１６と室内熱交換器７の管温度Ｔ１７との温度差ΔＴを演算し、演算した温度差を所定値βと比較して異常状態か否かを判定し、異常と判定した運転室内機Ｙ及び異常と判定した停止室内機Ｙが少なくとも１台以上ある場合、動作させる膨張弁６を変化させることにより、誤った配線接続が行われていた場合、冷房、暖房、除湿運転のいずれの運転時においても誤配線接続を検出し、再配線工事無しで誤配線接続状態を解消することができる。
【００６０】
また、室外機制御手段１４は、複数の室内機Ｙを異常と判定したとき、運転室内機の台数に応じて膨張弁６の動作パターンを抽出し、それに従って動作する膨張弁を変化させ、その度に室内機Ｙの室内吸込空気温度Ｔ１６と室内熱交換器７の管温度Ｔ１７との温度差ΔＴを演算し、運転室内機については演算した温度差と所定値αとを比較して条件を満たすかどうかにより、運転室内機とそれに対応する冷媒回路を制御する膨張弁が正しい組み合わせかどうかを判断し、停止室内機については演算した温度差と所定値βとを比較して条件を満たすかどうかにより、停止室内機とそれに対応する冷媒回路を制御する膨張弁が正しい組み合わせかどうかを判断し、複数の誤配線接続が存在していても誤配線接続を検知し、再配線工事無しで誤配線接続状態を解消することができる。
【００６１】
また、室外機制御手段１４は、運転室内機Ｙを異常と判定し、複数ある停止室内機のうち少なくとも１台を異常と判定したとき、誤った配線接続がなされているが正常接続されているように判断される残りの停止室内機についても、運転室内機の台数に応じて膨張弁６の動作パターンを抽出し、それに従って動作する膨張弁を変化させ、その度に室内機Ｙの室内吸込空気温度Ｔ１６と室内熱交換器７の管温度Ｔ１７との温度差ΔＴを演算し、運転室内機については演算した温度差と所定値αとを比較して条件を満たすかどうかにより、運転室内機とそれに対応する冷媒回路を制御する膨張弁が正しい組み合わせかどうかを判断し、停止室内機については演算した温度差と所定値βとを比較して条件を満たすかどうかにより、停止室内機とそれに対応する冷媒回路を制御する膨張弁が正しい組み合わせかどうかを判断するため、誤った配線接続がなされている停止室内機の誤配線状態をも検知することができ、再配線工事無しで誤配線接続状態を解消することができる。
【００６２】
また、室外機制御手段１４は、運転室内機の異常を検出した後、停止室内機の異常が検出されなかったとき及び、抽出した膨張弁６の動作パターンの全てにおいて判定を行った後、全ての室内機について、室内機とその冷媒回路を制御する膨張弁との対応が正常となる組み合わせが検出されず、異常と判断したときに異常信号を出力するので、誤配線検知以外の異常を検出することができる。それにより誤配線接続を異常要因候補から除外できるため、修理担当者の業務負荷を減らすことができる。
【００６３】
また、室外機制御手段１４は、室内機が運転を開始し、所定時間が経過した後、室外機制御手段１４の揮発性メモリに記憶されている運転室内機Ｙの誤配線検知履歴を参照し、誤配線検知実施済みであった場合は異常判定を行わなくてよいため、誤配線接続や異常検知に要する時間を短縮できる。
【００６４】
また、冷媒回路と配線接続の対応認識は室外機制御手段１４の不揮発性メモリに記憶されるが、誤配線検知が行われたかどうかは室外機制御手段１４の揮発性メモリに記憶されるため、パワーオンリセットによって誤配線検知ビットは０に戻る。そのため、本マルチ形空気調和機を移設する必要があった場合、その設置時に誤って誤配線接続してしまった場合でも、再度誤配線検知が実施される。そのため、移設にも対応することが可能である。
また、停電した場合も電源復帰後のパワーオンリセットによって、誤配線検知ビットは０に戻るため、誤配線検知・修正が以前行われていたとしても、再度、誤配線検知制御が実施されることになるが、最初の運転室内機異常判定（Ｓ４）によって正常と判断され、その時点で制御を終了し、通常運転に戻ることができる。
【００６５】
また、本制御実施時に運転室内機の台数が変化しても誤配線検知は可能であるため、施工時に何らかの理由で試運転が実施されなかったとしても、使用者が実際に本マルチ形空気調和機を使用する中で誤配線接続状態を検出し、その状態のまま再配線工事をすることなく、使用者の要求通りの正常な運転を行うことができる。
【符号の説明】
【００６６】
１  圧縮機、２  四方弁、３  室外熱交換器、４  室外ファン、５  室外ファンモータ、６  膨張弁（６ａ〜６ｄ）、７  室内熱交換器（７ａ〜７ｄ）、８  室内ファン（８ａ〜８ｄ）、９  室内ファンモータ（９ａ〜９ｄ）、１０  液溜、１１  液配管（１１ａ〜１１ｄ）、１２  ガス配管（１２ａ〜１２ｄ）、１３  リモコン（１３ａ〜１３ｄ）、１４  室外機制御手段、１５  室内機制御手段（１５ａ〜１５ｄ）、１６  室内吸込空気温度検出手段（１６ａ〜１６ｄ）、１７  室内熱交換器温度検出手段（１７ａ〜１７ｄ）、１８〜２６  配線（１８ａ〜２６ｄ）、Ｘ  室外機、Ｙ  室内機（Ｙａ〜Ｙｄ）。
【図１】
0005858824.tif 000002
【図２】
0005858824.tif 000003
【図３】
0005858824.tif 000004
【図４】
0005858824.tif 000005
【図５】
0005858824.tif 000006
【図６】
0005858824.tif 000007
【図７】
0005858824.tif 000008
【図８】
0005858824.tif 000009